(57)【特許請求の範囲】
【請求項１】
直管状のランプからの光をライトガイドに入射させて面発光させる照明装置において、
前記ランプの両側を保持するランプホルダを備え、
前記ランプと前記ランプホルダを含めた外形寸法が、前記ライトガイドの外形寸法内に構成され、
前記ランプホルダが、前記ライトガイドへの入射面側に、このランプホルダの端部側に対して前記ランプ側が低くなり、かつこのランプからの発光をランプホルダの端部側に照射するように形成されるテーパー部を有することを特徴とする照明装置。
【請求項２】
直管状のランプからの光をライトガイドに入射させて面発光させる照明装置において、
前記ランプの両側を保持するランプホルダを備え、
前記ランプと前記ランプホルダを含めた外形寸法が、前記ライトガイドの外形寸法内に構成され、
前記ランプホルダが、前記ライトガイドへの入射面側にこのランプホルダの端部側に対して前記ランプ側が低くなるように形成される段差部を有することを特徴とする照明装置。
【発明の詳細な説明】
【０００１】
【発明の属する技術分野】
本発明は、液晶表示素子のバックライトなどに用いられる照明装置、特にライトガイドへの入光効率を向上させた照明装置に関するものである。
【０００２】
【従来の技術】
図４は液晶表示素子のバックライトに用いられる照明装置の基本構成を示す斜視図である。同図において、１は光源部である直管型のランプ、２はこのランプ１を両側から保持するランプホルダ、３はランプ１からの光を反射させるリフレクタ、４はランプ１からの光及びリフレクタ３で反射した光が側端面から入射する平板状のライトガイドで、片面（裏面）に反射板５を有し、反対面（表面）に拡散板６を有している。
【０００３】
上記構成において、ランプ１からの光は直接あるいはリフレクタ３を経てライトガイド４内に入射し、ライトガイド４の反射板５側の底面に印刷されたパターンによって拡散，反射し、ライトガイド４全体を均一に光らせる。そして、ライトガイド４の表面の拡散板６の照光面から均一な面発光が得られるようになっている。
【０００４】
図５は上記構成の照明装置におけるランプ１からライトガイド４への光の進み方を矢印で示す図である。また、図６はランプホルダをライトガイドの外側へ配置した場合の光の進み方を示したものである。
【０００５】
【発明が解決しようとする課題】
しかしながら、上記のような従来の照明装置にあっては、図５に示すように例えばＡ，Ｂ，Ｃの各点のような箇所はランプからの光があらゆる方向から入射してくるので明るさは大きいが、Ｘ，Ｙ点の付近ではＺ方向を境にしたランプからの特定の角度からの光しか入射しないのでＡ，Ｂ，Ｃ点と比べて光量が少なく、暗部となってしまい、品質が低下するという問題点があった。
【０００６】
そこで、図６に示すようにランプホルダをライトガイドの外側に配置し、Ｘ，Ｙ点付近への入射光量を多くして暗部をなくすことも提案されているが、この場合には装置の外形寸法が大きくなってしまうという問題点があった。
【０００７】
本発明は、上記のような従来の問題点に着目してなされたもので、短いランプで省スペース化及び省電力化を図ることができると同時に、ライトガイドの暗部が軽減して光の入光効率が向上した照明装置を提供することを目的としている。
【０００８】
【課題を解決するための手段】
本発明に係る照明装置は、次のように構成したものである。
【０００９】
（１）直管状のランプからの光をライトガイドに入射させて面発光させる照明装置において、前記ランプの両側を保持するランプホルダを備え、前記ランプと前記ランプホルダを含めた外形寸法が、前記ライトガイドの外形寸法内に構成され、前記ランプホルダが、前記ライトガイドへの入射面側に、このランプホルダの端部側に対して前記ランプ側が低くなり、かつこのランプからの発光をランプホルダの端部側に照射するように形成されるテーパー部を有するようにした。
【００１０】
（２）直管状のランプからの光をライトガイドに入射させて面発光させる照明装置において、前記ランプの両側を保持するランプホルダを備え、前記ランプと前記ランプホルダを含めた外形寸法が、前記ライトガイドの外形寸法内に構成され、前記ランプホルダが、前記ライトガイドへの入射面側にこのランプホルダの端部側に対して前記ランプ側が低くなるように形成される段差部を有するようにした。
【００１１】
【発明の実施の形態】
図１は本発明の一実施例の構成を示す斜視図である。同図において、１は直管形のランプ、１１はこのランプ１を両側から保持するランプホルダで、不図示のライトガイド側にランプ側が低くなるテーパー部１１ａが設けられている。
【００１２】
なお、照明装置としての他の構成は図４と同様であるので、説明は省略する。
【００１３】
本実施例では、図１に示すようにランプホルダ１１の一部を斜めにカットしてテーパー部１１ａを形成しており、これにより図２に示すようなＺ方向に進む光も利用することができ、ライトガイド内の暗部を軽減して、均一な発光を得ることができる。
【００１４】
すなわち、従来では図５に示すようにＺ方向の光はランプホルダに当たってランプホルダに吸収あるいは反射してライトガイドとは異なる方向に進んでいってしまうが、本実施例ではランプホルダ１１にテーパー部１１ａを設けているのでＺ方向の光も有効に利用することができる。また、このような構造とすることにより、ランプ端部付近の暗部が軽減して光の入光効率が向上すると同時に、短いランプ１を使用して装置の外形寸法をライトガイドの外形寸法内に抑えることができ、省スペース化及び省電力化を図ることができる。
【００１５】
図３は本発明の他の実施例を示す斜視図であり、ランプホルダ部分のみを示している。本実施例のランプホルダ１２は、ライトガイド側にランプ側が低い段差部１２ａ，１２ｂが設けられている。図３の（ａ）はランプ１の管径寸法まで低くした段差部１２ａを形成した例、図３の（ｂ）はそれより低い段差部１２ｂを形成した例をそれぞれ示している。
【００１６】
このように、テーパーの代わりに角にするようにしても、図１の実施例と同等の作用効果が得られ、ライトガイドの暗部が軽減すると同時に、省スペース化及び省電力化を図ることができる。
【００１７】
【発明の効果】
以上のように、本発明によれば、短いランプを使用して省スペース化及び省電力化を図ることができると同時に、ライドガイドの暗部が軽減して光の入光効率が向上するという効果がある。
【図面の簡単な説明】
【図１】  本発明の一実施例の構成を示す斜視図
【図２】  一実施例における光の進み方を示す説明図
【図３】  本発明の他の実施例の構成を示す斜視図
【図４】  照明装置の基本構成を示す斜視図
【図５】  従来例における光の進み方を示す説明図
【図６】  他の従来例における光の進み方を示す説明図
【符号の説明】
１    ランプ
３    リフレクタ
４    ライトガイド
５    反射板
６    拡散板
１１    ランプホルダ
１１ａ  テーパー部
１２    ランプホルダ
１２ａ  段差部
１２ｂ  段差部
【図１】
0003803191.tif 000002
【図２】
0003803191.tif 000003
【図３】
0003803191.tif 000004
【図４】
0003803191.tif 000005
【図５】
0003803191.tif 000006
【図６】
0003803191.tif 000007